(57)【要約】【課題】撤去可能な間仕切り壁を単純な構造で固定できるようにし、ライフステージやライフスタイルの変化に応じて家屋の間取りを変更できるようにすると共に、壁の移動や転倒を防止する。【解決手段】天井高より１〜２ｃｍ程度低くしてある間仕切り壁本体３を室内に搬入して位置決めし、間仕切り壁本体３と天井２との隙間にゴム板を挿入し、本体３の移動を防止すると共に衝撃を吸収させ、光や音の隣室への漏れを防ぐ。間仕切り壁本体３の上部の片面、または、両面にＬ字型の張り出し部材４を水平部４１が天井に接するように釘６で固定し、間仕切り壁の転倒を防止する。張り出し部材４の水平部４１にはゴムシートが貼り付けてあり、間仕切り壁の水平移動を防ぐと共に遮光・防音に有効である。【選択図】図１
2004278060.tif 000002
【特許請求の範囲】
【請求項１】
撤去可能な間仕切り壁であって、間仕切り壁本体の高さが室内の天井高より低く、間仕切り壁本体の少なくとも上部片側にＬ字型の張り出し部材が着脱可能に固定され、張り出し部材の水平部が天井に接している間仕切り壁。
【請求項２】
請求項１において、Ｌ字型の張り出し部材は取り外し可能である間仕切り壁。
【請求項３】
請求項１〜２のいずれかにおいて、張り出し部材の天井と接する面に滑り止め部材を設けた間仕切り壁。
【請求項４】
請求項１〜３のいずれかにおいて、間仕切り壁の基部に転倒防止兼用の廻り縁が設けてある間仕切り壁。
【請求項５】
室内の天井高より低い間仕切り壁本体を所定の位置に設置した後、少なくとも間仕切り壁本体の上部片側にＬ字型の張り出し部材を、張り出し部材の水平部が天井に接するように固定する間仕切り壁の設置工法。
【発明の詳細な説明】
【０００１】
【発明の属する技術分野】
本発明は、居室を自在に仕切ることのできる撤去可能な間仕切り壁に関する。
【０００２】
【従来の技術】
個人住宅においては、ライフステージやライフスタイルの変化に応じて、部屋の大きさを変更する必要が生じる。また、店舗や事務所においても業態の変更や従業員の増減に応じて間取りを変更する必要が生ずる。そのため、間仕切り壁を撤去可能なものとし、必要に応じて間仕切り壁を撤去または移動して間取りを変更することがおこなわれており、固定手段を有する撤去可能な間仕切り壁が種々提案されている。（図５参照）
【０００３】
【特許文献１】
特開平０９−１３５５５号公報（要約、図面、請求の範囲）
【特許文献２】
特開２０００−１８６３８５号公報（要約、図面、請求の範囲）
【０００４】
特許文献１（特開平０９−１３５５５号公報）には、天井面または床面に傷を与えずに簡単に取り付け、取り外しができる間仕切り壁が開示されている。これは、図３に示すように、壁パネルの下端に鉄板で補強したゴムからなる圧接部材をボルトを利用して壁パネルに対して上下動可能に設け、圧接部材を天井と床に押圧して間仕切り壁を固定するものである。
【０００５】
特許文献２（特開２０００−１８６３８５）には、同様の目的で、図４に示すように間仕切り壁を支持すると共に手摺りともなる支柱が開示されている。支柱の上下端には断面Ｔ字型の圧着部材が逆ネジで上下動可能に取り付けてあり、圧着部材を天井と床に押しつけて支柱を固定し、間仕切り壁を固定するようにしている。
【０００６】
【発明が解決しようとする課題】
従来の撤去可能な間仕切り壁は、可動部材を床と天井に押しつけて固定したり、固定金具等で移動しないように固定するものが多いが、撤去することを前提としているため強固に固定することができず、子供が遊びで走っている最中にバランスを崩して衝突したり、取っ組み合いで投げ飛ばされて壁に激突することがあるが、このような大きな衝撃に耐えることができず、間仕切り壁が移動したり、ひどいときには、壁が転倒するということがあった。
【０００７】
また、固定金具を使用した場合は、ネジや釘のあとが壁面や天井に残り、撤去後に穴埋めや、壁紙の張替等の補修が必要であった。
更に、強固な固定を得ようとすると、そのために複雑な機構が必要となって部品点数が多くなり、製造工程が多くなると共に、組立精度が要求されるため、結果的に高価となる。また、機構が複雑なものは不具合が起きる確率が高くなる。
【０００８】
本発明の課題は、撤去可能な間仕切り壁が強固に固定されるようにして子供が衝突する程度の衝撃に対しては耐えるようにすると共に、間仕切り壁の撤去・移動後の補修作業が少なくて済むように固定金具を使用せずに単純な構造によって間仕切り壁を固定できるようにし、間仕切りの変更を簡易にかつ低コストで達成できるようにすることである。
【０００９】
【課題を解決するための手段】
間仕切り壁本体の高さを室内の天井高より低くして、取り付けのための室内への搬入及び移動を容易にし、間仕切り壁本体の少なくとも上部片側にＬ字型の張り出し部材を着脱可能に固定し、かつ、張り出し部材の水平部を天井に密着接触させることにより間仕切り壁の設置を容易にすると共に、強固な固定状態が得られるようにした。
【００１０】
張り出し部材は取り外すことが可能であり、この部材を外すことによって間仕切り壁を容易に撤去することができる。張り出し部材の天井と接する面に滑り止め部材を設けることによって、間仕切り壁が強固に固定されるようにした。
【００１１】
間仕切り壁の設置においては、間仕切り壁本体を所定の位置に設置した後、間仕切り壁本体の少なくとも上部片側にＬ字型の張り出し部材を、張り出し部材の水平部が天井に接するように固定し、短時間で間仕切り壁を高度な技術を要せずに設置できるようにした。
【００１２】
【作用】
間仕切り壁を転倒させようとする力が作用すると、間仕切り壁本体に固定された張り出し部材の水平部が天井に当たって転倒に対する反力が生起され、間仕切り壁が回転して倒れようとするのが防止される。また、張り出し部材の水平部に設けたゴム等が滑り止めとして作用し、水平方向の荷重に耐えることができる。天井と間仕切り壁本体が密着して隙間がないので、光が隣室に漏れたりすることがなく、また、防音性が高い。
【００１３】
【実施例】
図１において、１は床面、２は天井面である。間仕切り壁本体３の高さは天井高より１〜２ｃｍ程度低くしてある。このため、室内への搬入が自由におこなえ、また、間仕切り壁の位置決めの際にも移動が容易である。
【００１４】
この間仕切り壁本体３の上部の片面、または、両面にはＬ字型の張り出し部材４が固定してある。この張り出し部材４は、その水平部４１が天井２に密着接触するように間仕切り壁本体３に釘またはネジで固定されている。
設置に当たっては、間仕切り壁本体３を所定の位置に設定し、天井２と間仕切り壁本体３の上端部の間にゴム板等の弾性部材５を挿入してから間仕切り壁本体３の側面に釘またはネジなどの固着具６で張り出し部材４を固定する。
間仕切り壁本体３の上端部と天井２の間に挿入されたゴム板等の弾性部材５によって間仕切り壁３と天井２の間での大きな摩擦力得られると共に、衝撃を吸収することができるので間仕切り壁３は強固に固定されることになる。天井２と間仕切り壁本体３が密着して隙間がないので、光が漏れたりすることがなく、また、音が隣室に漏れることも防止される。
【００１５】
張り出し部材４の固定に使用した釘等の固着具６は、間仕切り壁本体３に対して直角に打ち込むのでなく、多少とも上向きに打ち込む。こうすることによって、間仕切り壁を転倒させようとする力が作用したときに張り出し部材４が間仕切り壁から外れるのを防止することができる。
【００１６】
更に、張り出し部材４の水平部４１には、天井２と接触する部分にゴムや合成樹脂製の弾性シートを接着して間仕切り壁本体と天井とが密着するようにし、この間仕切り壁３に衝撃や転倒荷重が加わったときの抵抗力が大きくなるようにしてあると共に、遮光及び遮音効果を高めている。
【００１７】
間仕切り壁本体３が床１に接触する面にも、上端部と同様に予め、ゴムや合成樹脂のシートを敷いたり、図２に示すように、間仕切り壁本体３を収容する溝７１が形成してある固定部材７を床面に設置する。
ライフステージやライフスタイルの変化に応じて居室の内装も変更する場合は、間仕切り壁３の基部に廻り縁（図示しない）を設けたり、張り出し部材４に装飾的部材を付加したりして、意匠を変化させる。
【００１８】
【発明の効果】
本発明の撤去可能な間仕切り壁は、単純な構造であるので、取り付け及び取り外しが簡単におこなえ、また、複雑な機構を内蔵していないので不具合や故障が起きることがなく、ライフステージやライフスタイルの変化に応じて簡単に間取りを変更することができる。
また、間仕切り壁に衝撃が加えられても張り出し部材が単純な構造でありながら固定強度が大きいので、間仕切り壁が移動したり転倒することがない。
更に、固定金具を使用していないので、釘やネジ穴が天井に残らず、撤去後の補修費を必要としないという利点がある。
【図面の簡単な説明】
【図１】間仕切り壁の断面図。
【図２】間仕切り壁の下部断面図。
【図３】従来の可動間仕切り壁の一例。
【図４】従来の可動間仕切り壁の他の例。
【図５】従来の可動間仕切り壁の固定手段の例。
【符号の説明】
１    床
２    天井
３    間仕切り壁本体
４    張り出し部材
４１  水平部
【図１】
2004278060.tif 000003
【図２】
2004278060.tif 000004
【図３】
2004278060.tif 000005
【図４】
2004278060.tif 000006
【図５】
2004278060.tif 000007